(57)【要約】【課題】ギター型の電子楽器において和音指定を容易にする。【解決手段】フレットスイッチ３０をギターの第１〜第６弦のそれぞれに対応して、各フレット２０，２０間に６段配設する。ギターの音と同様の音階で、第２弦に対応する１２個のフレットスイッチ３０で第１フレット２０から順に、「Ｃ」、「Ｃ♯」、「Ｄ」、…のキーコードを根音として指定する。第１弦のフレットスイッチ３０で「マイナー」を指定する。第３弦のフレットスイッチ３０で「セブンス」を指定する。第１及び第３弦の両方のフレットスイッチ３０でで「マイナーセブンス」を指定する。【選択図】　　　図１
2004117630.tif 000002
【特許請求の範囲】
【請求項１】
複数の各弦に対応した複数のフレットスイッチと、
複数の弦に対応した複数の発音トリガ手段と、
前記フレットスイッチおよび／または前記発音トリガ手段により楽音を発生する楽音発生手段と、
を有する電子楽器であって、
特定の１弦に対応する複数のフレットスイッチについては操作されたフレットスイッチに対応した根音を指定し、該特定の１弦以外の他の弦に対応するフレットスイッチで和音の種類を指定して、前記根音指定および前記和音の種類指定によって和音音を決定し、該和音音の情報を前記楽音発生手段に対して発生する和音音発生手段を備えたことを特徴とする電子楽器。
【請求項２】
複数の各弦に対応した複数のフレットスイッチを有する電子楽器の和音指定装置であって、
特定の１弦に対応する複数のフレットスイッチについては操作されたフレットスイッチに対応した根音を指定し、該特定の１弦以外の他の弦に対応するフレットスイッチで和音の種類を指定して、前記根音指定および前記和音の種類指定によって和音音を指定することを特徴とする電子楽器の和音指定装置。
【請求項３】
複数の各弦に対応した複数のフレットスイッチを有する電子楽器の和音指定装置であって、
特定の１弦に対応する複数のフレットスイッチについては操作されたフレットスイッチに対応した根音を指定し、該特定の１弦の両側に位置する２弦にそれぞれ対応するフレットスイッチのうちいずれか一方でマイナー指定、他方でセブンス指定、両方でマイナーセブンス指定をするようにしたことを特徴とする電子楽器の和音指定装置。
【請求項４】
複数の各弦に対応した複数のフレットスイッチを有する電子楽器の和音指定装置であって、
特定の１弦に対応する複数のフレットスイッチについては操作されたフレットスイッチに対応した根音を指定し、該特定の１弦以外の他の弦に対応するフレットスイッチで和音の種類を指定して、前記根音指定および前記和音の種類指定によって和音音を指定する第１和音指定手段と、
前記１以上の弦に対応するフレットスイッチで操作されたフレットスイッチに対応する音によって和音音を指定する第２和音指定手段と、
前記第１和音指定手段と前記第２和音指定手段のいずれか一方を選択する選択手段とを有し、
前記選択手段によって選択された指定方法で和音音を指定することを特徴とする電子楽器の和音指定装置。
【発明の詳細な説明】
【０００１】
【発明の属する技術分野】
本発明は、複数の弦に対応した複数の疑似撥弦手段を有する電子楽器、及び和音音を入力指定する電子楽器の和音指定装置に関する。
【０００２】
【従来の技術】
従来、例えば特公昭６２−５５６８０号公報に開示されているように、電子鍵盤楽器において一つの指で和音を指定する技術がある。白鍵で和音の根音を指定し、その根音の鍵より低音側の白鍵の同時押下でセブンス和音、その根音の鍵より低音側の黒鍵の同時押下でマイナー和音、その根音の鍵より低音側の白鍵と黒鍵の同時押下でマイナーセブンス和音を指定するものがある。これにより和音の指定が容易になり、初心者でも伴奏演奏が可能となる。
【０００３】
ギターのような楽器では、和音構成音の全部を押さえないと和音演奏ができなかった、すなわち、公知技術として、ギターのような楽器において簡単に和音を指定できるものはなかった。
【０００４】
【特許文献１】
特公昭６２−５５６８０号公報
【０００５】
【発明が解決しようとする課題】
そこで、本発明は、複数の弦に対応した複数の疑似撥弦手段を有する電子楽器において和音を容易に指定できるようにすることを課題とする。
【０００６】
【課題を解決するための手段】
請求項１の電子楽器または請求項２の電子楽器の和音指定装置は、複数の各弦に対応した複数のフレットスイッチを有する電子楽器で、特定の１弦に対応する複数のフレットスイッチについては操作されたフレットスイッチに対応した根音を指定し、該特定の１弦以外の他の弦に対応するフレットスイッチで和音の種類を指定するようにした。
【０００７】
請求項３の電子楽器の和音指定装置は、特定の１弦に対応する複数のフレットスイッチについては操作されたフレットスイッチに対応した根音を指定し、該特定の１弦の両側に位置する２弦にそれぞれ対応するフレットスイッチのうちいずれか一方でマイナー指定、他方でセブンス指定、両方でマイナーセブンス指定をするようにした。
【０００８】
請求項４の電子楽器の和音指定装置は、特定の１弦に対応する複数のフレットスイッチについては操作されたフレットスイッチに対応した根音を指定し、該特定の１弦以外の他の弦に対応するフレットスイッチで和音の種類を指定する第１和音指定手段と、１以上の弦に対応するフレットスイッチで操作されたフレットスイッチに対応する音によって和音音を指定する第２和音指定手段とを有し、この第１和音指定手段と第２和音指定手段のいずれか一方を選択して和音音を指定できるようにした。
【０００９】
【発明の実施の形態】
図１は本発明の実施形態の電子楽器の外観図である。この電子楽器はギター型の電子楽器であり、エレクトリックギターと同様な形状でボディ１００とネック１１０を有している。ボディ１００の中央にはギターの第１弦〜第６弦に対応して各弦を模した金属ワイヤ製の６つの疑似弦１０が配設されている。ネック１１０には、先端のヘッド部１１０ａ側から第１〜第１２フレット２０が順に配設されている。
【００１０】
各疑似弦１０はワイヤの両端部を略直角に（ボディ面に対し垂直方向に）曲げたコの字型のアーチ状になっており、両端の足部をボディ１００内に貫通し、該足部の中間を軸として揺動可能となっている。この足部には図示しない弾性部材が当接しており、この弾性部材により該疑似弦１０がボディ１００に対して非撥弦時に直角に起立するように付勢されている。そして、疑似弦１０を弾くことによりこの疑似弦１０の振動が弾性部材に伝達され、この弾性部材に取り付けられたピエゾ素子等のセンサにより、疑似弦１０の振動が検出される。この検出される振動に応じて楽音が発音される。すなわち、この疑似弦１０及びセンサ等は発音トリガ手段となっている。センサがピエゾ素子である理由は、図示はしないが、該センサ出力の包絡線（エンベロープ）を検出して、後述する楽音信号発生手段へ導くことにより、該楽音信号発生手段により、後述のサウンドシステムから発生される楽音のレベルを制御するようにしているからである。そして、前記エンベロープの所定値以上を検出することにより、前述の発音トリガ信号としている。
【００１１】
ネック１１０には、ヘッド部１１０ａと第１フレット２０との間と、他の隣接する各フレット２０，２０の間に、各疑似弦１０に対応する複数のフレットスイッチ３０が配設されている。なお、図１の矢印▲１▼方向を「弦方向」、矢印▲２▼の方向を「フレット方向」という。すなわち、各フレットスイッチ３０は、６つの疑似弦１０の各々に対応してフレット方向に６段、第１〜第１２フレット２０に対応して弦方向に１２段配設された複数のフレットスイッチであり、ネック１１０上に計７２個がマトリクス状に配設されている。
【００１２】
そして、各フレットスイッチ３０には、そのフレットスイッチ３０のあるフレット方向と弦方向の交差位置に対応するギターにおける各弦各フレット位置を押さえた時の音高と同じキーコードが割当てられている。例えば第２疑似弦１０に対応する１２個のフレットスイッチ３０には、ヘッド部１１０ａ側から順に、「Ｃ（中央ハ音），Ｃ♯，Ｄ，Ｄ♯，Ｅ，Ｆ，Ｆ♯，Ｇ，Ｇ♯，Ａ，Ａ♯，Ｂ」に対応するキーコードが割当てられている。なお、フレットスイッチ３０がオンとなることを、「フレットがオン」あるいは「フレットのオン」ともい、また、対応する疑似弦１０の番号で区別して「第１〜第６弦のオン」あるいは「第１〜第６弦がオン」ともいう。
【００１３】
各フレットスイッチ３０は、ネック１１０の面（指板）から突出した樹脂製の操作子と、ネック１１０内部に配設された接点スイッチ及びＬＥＤで構成されている。操作子は、弦方向に隣接するフレット２０，２０間の間隔相当の長さを有しフレット方向を弦幅程度の矩形状とする短冊状（長尺状）の形状となっており、接点スイッチは操作子の直下で弦方向に配置した並列接続の２対の接点で構成されている。そして、操作子を押すと接点スイッチがオンする。また、操作子は赤色光に対する透光性を有しており、操作子下部のＬＥＤの消灯時には外光を一部散乱して青みがかった色に見え、一方、ＬＥＤの発光によって赤く光って見える。なお、この操作子の発光は運指表示に用いられるが、運指表示は本発明の要点ではないので詳細な説明は省略する。
【００１４】
ネック１１０のボディ１００側には設定スイッチ４０と表示部５０が配設されている。設定スイッチ４０は、本発明による和音指定方法を用いた和音演奏モード、通常のギター演奏、あるいはデモソングの演奏などのプレイモードの選択、デモソングのスタート／ストップの指示、音色選択、デモソングの選択、テンポやボリュームあるいはチューニングの設定など、各種の設定を行うものである。また、表示部５０は、デモソングの番号（デモの演奏データの番号）やテンポ等を表示するものである。しかしながら、本発明の要点ではないので、次に説明する回路図においても、自動演奏系のシステムを省略している。
【００１５】
図２は第１実施形態の電子楽器の要部回路ブロック図である。フレットスイッチ（ＦＳＷ）入力部１は、前記７２個の各フレットスイッチ３０のオン／オフを検出するスキャン回路等で構成され、各フレットスイッチ３０の各々のオン／オフ状態を示すフレット信号Ｆ（すなわちオンとなっているフレットスイッチ３０の弦番号とフレット番号を示す信号）を第２弦検出部２と複数弦検出部３に出力する。第２弦検出部２は第２弦に対応する１２個のフレットスイッチ３０のうちオンとなっているものを検出し、第２弦のフレットスイッチ３０のオンが検出されればイネーブル信号ＥＮを和音テーブル５に出力する。
【００１６】
キーコード（ＫＣ）検出部４は、第２弦検出部２でオンと検出された第２弦のフレットスイッチ３０に対応するキーコードを検出し、指定和音の根音のキーコードＫＣとして和音テーブル５に出力する。すなわち、第２弦に対応するフレットスイッチ３０のうち、第１フレットがオンのとき「Ｃ」、第２フレットがオンのとき「Ｃ♯」、第３フレットがオンのとき「Ｄ」、…というように、ギターの第２弦の各フレットの音名が和音の根音として用いられる。
【００１７】
複数弦検出部３は、各フレットスイッチ３０のうちオンとなっているフレットスイッチ３０の各弦番号に対応する弦データＳを出力する。この弦データＳは第１〜第６弦にビットを対応付けた６ビットで構成され、オンとなっている弦のビットを“１”、オフとなっている弦のビットを“０”とする。第１弦検出部６は、弦データＳから第１弦のオンが検出されると１弦検出信号ｏｎ１を和音テーブル５に出力する。また、第３弦検出部７は弦データＳから第３弦のオンが検出されると３弦検出信号ｏｎ３を和音テーブル５に出力する。
【００１８】
弦トリガ部８は６つの疑似弦１０の各々の振動の立ち上がりを各疑似弦１０に対応するトリガ信号として検出し、前記弦データＳと同様に各疑似弦１０に対応する６ビットデータでトリガが“１”、非トリガが“０”となるトリガ弦データＴＳを出力する。このトリガ弦データＴＳと弦データＳは根音一致判定部９にそれぞれ入力される。根音一致判定部９はトリガ弦データＴＳと弦データＳの第２弦に対応するビットがともに“１”になっているとき一致信号（ＥＱ）を楽音発生部１１に出力する。
【００１９】
和音テーブル５は、第２弦検出部２からイネーブル信号ＥＮが入力されるとイネーブルとなり、１弦検出信号ｏｎ１と３弦検出信号ｏｎ３の有無の組み合わせに応じた和音種類で、キーコード検出部４から出力されるキーコードＫＣを根音とする和音を決定して、和音データを内部で発生する。なお、この和音データは所定のテーブルを参照して発生する。そして、この和音データに基づいて、ギターにおける和音構成音（展開和音）に対応するキーコードＫＣを和音音の情報として発生する。例えば、エーセブンス和音「Ａ７ｔｈ　」であれば第１弦側から「Ｇ（７ｔｈ　の音）、Ｃ♯、Ａ、Ｅ、Ａ、Ｅ」又はＥ、Ｃ♯、Ｇ、Ｅ、Ａ、ＥあるいはＡ、Ｅ、Ｃ♯、Ｇ、Ｅ、Ａのキーコードを発生する。そして、この和音構成音のキーコードＫＣは楽音発生部１１に入力され、楽音発生部１１は、根音一致判定部９の一致信号ＥＱ（キーオン信号）により、和音構成音の楽音信号を発生する。この楽音信号はアンプ及びスピーカ等からなるサウンドシステム１２に出力され、和音の楽音が発生される。
【００２０】
なお、楽音信号発生部１１は、モードスイッチ４０ａにより和音演奏モードが選択されたとき、上記和音テーブル５からの和音構成音のキーコードで楽音信号を発生するが、モードスイッチ４０ａにより通常演奏モードが選択されているときは、キーコード（ＫＣ）判定部１３からのキーコードとトリガ信号とにより楽音信号を発生する。すなわち、キーコード判定部１３にはフレットスイッチ入力部１からのフレット信号Ｆと弦トリガ部８からのトリガ弦データＴＳが入力され、キーコード判定部１３はトリガが発生している疑似弦１０の各々について、最高音でフレットオンとなっているフレットスイッチ３０のキーコード（フレットオフの場合は開放弦に対応するキーコード）と、トリガ信号（キーオン信号）を楽音信号発生部１１に出力する。これにより、通常のギター演奏が行える。
【００２１】
和音テーブル５における、１弦検出信号ｏｎ１と３弦検出信号ｏｎ３の有無の組み合わせに応じた和音種類は次のようになっている。なお、１弦検出信号ｏｎ１が有るとき「第１弦オン」、無いとき「第１弦オフ」、３弦検出信号ｏｎ３が有るとき「第３弦オン」、無いとき「第３弦オフ」という。第１弦オフで第３弦オフのときはメジャー和音、第１弦オンで第３弦オフのときはマイナー和音、第１弦オフで第３弦オンのときはセブンス和音、第１弦オンで第３弦オンのときはマイナーセブンス和音となっている。この逆でもよい。すなわち、メジャー和音とマイナーセブンス和音の発生は、上記と同一とするも、第１弦オン、第３弦オフのときはセブンス和音、第１弦オフで第３弦オンのときはマイナー和音とするようにしてもよい。
【００２２】
なお、上記実施形態の回路は、第４〜６弦に対応する余計なフレットスイッチ３０を操作しても、和音指定には影響しない回路になっている。すなわち、和音指定に必要な第１〜３弦の操作にのみ対応する。
【００２３】
図３は通常のギターにおける和音の押え方と実施形態における和音指定の例を対比して示す図であり、通常のギターでＣ（根音「Ｃ」のメジャー和音）を弾くときは図３（Ａ）　のようにフレットを押さえる必要があるが、実施形態では図３（Ｂ）　のように押さえるだけでよい。また、通常のギターでＣｍ（根音「Ｃ」のマイナー和音）を弾くときは図３（Ｃ）　のように押さえる必要があるが、実施形態では図３（Ｄ）　のように押さえるだけでよい。また、通常のギターでＣ７　（根音「Ｃ」のセブンス和音）を弾くときは例えば図３（Ｅ）　のようにフレットを押さえる必要があるが、実施形態では図３（Ｆ）　のように押さえるだけでよい。さらに、通常のギターでＣｍ７　（根音「Ｃ」のマイナーセブンス和音）を弾くときは例えば図３（Ｇ）　のようにフレットを押さえる必要があるが、実施形態では図３（Ｈ）　のように押さえるだけでよい。
【００２４】
なお、第２弦のフレット（フレットスイッチ３０）を押さえるとき、すなわち和音の基本の音となる根音を指定するときは左手の人差し指で押さえ、その他のフレットを他の指でを押さえるようにすると、和音を理解易くなる。この場合、第２弦以外の他の指では第２弦のフレットと異なるフレット位置を押したほうが、初心者には操作がし易い。しかし、あるていど慣れてきた場合など、図３（Ｄ）　，（Ｆ）　，（Ｈ）　に破線で示したように他の弦のフレットを第２弦と同じフレット位置で押さえてもよい。この場合、特に図３（Ｄ）　や（Ｈ）　では一本の指で簡単に押さえることができる。なお、図３では第１弦と第３弦のフレットの押さえかたとして、第２弦と同じ位置あるいは一つ上（半音上）のフレットを押さえる場合を示しているが、第２弦で根音を指定すれば、第１弦と第３弦は種類を指定するものであるので、上記以外のその他の位置でもよい。
【００２５】
図４は「イエスタデー」の曲の伴奏を行う場合の和音指定の例であり、歌詞の部分の最初の１小節の「Ｙｅｓｔｅｒｄａｙ　」の和音Ｆでは１つだけフレットオンとし、２小節目の「ａｌｌ　ｍｙ」の和音Ｅｍ７　では３つフレットオンとする。次の「ｔｒｏｕｂｌｅｓ　ｓｅｅｍｅｄ　ｓｏ」の和音Ａ７　では２つフレットオンとし、３小節目の「ｆａｒ　ａ−ｗａｙ　…」の和音Ｄｍ及びＤｍ７　ではそれぞれ２つフレットオン及び３つフレットオンとする。
【００２６】
このように、通常のギターよりも簡単な操作で６音発生のギターライクな和音を指定することができる。また、種類の指定については弦を決めれば何フレット目のフレットスイッチ３０を操作してもよいので、押さえやすい指で押さえやすいフレットスイッチ３０を押せばよく、操作性もよい。もちろん、同じフレット内で操作するのであれば異なる弦のフレットスイッチ３０の２つあるいは３つを一つの指で同時に押してもよく、このような簡単な操作で指定できる和音が多くなるので、操作がし易く、さらに、多くの和音の指定の仕方を覚えやすい。
【００２７】
図５は第２実施形態の要部ブロック回路図であり、和音種類の指定に第１実施例とは異なるルールを適用したものである。この第２実施形態では図２の複数弦検出部３、第１弦検出部６、第３弦検出部７及び和音テーブル５に代えて、複数スイッチ検出部１３、本数／個数検出部１４、種類指定部１５、和音テーブル１６を備えており、その他の構成は第１実施形態（図２）と同様である。なお、本数／個数検出部１４は、オンとなったフレットスイッチ３０に対応する弦番号の個数（弦に対応させて「弦の本数」ともいう。）を検出する実施例と、オンとなったフレットスイッチ３０の個数を検出する実施例とを兼用して表現したブロックである。
【００２８】
複数スイッチ検出部１３は、各フレットスイッチ３０のうちオンとなっているフレットスイッチ３０の各弦番号とフレット番号に対応するスイッチデータＳＤを本数／個数検出部１４に出力するとともに、前記複数弦検出部３（図２）と同様に各弦番号に対応する弦データＳを前記根音一致判定部９（図２）に出力する。
【００２９】
本数／個数検出部１４は、複数スイッチ検出部１３からのスイッチデータＳＤに基づき、弦の本数を検出する実施例では第２弦のフレットスイッチ３０以外でフレットオンとなっているフレットスイッチ３０に対応する弦の本数を検出し、本数データを種類指定部１５に出力する。なお、同一弦に対応する複数のフレットスイッチ３０がオンとなっている場合は１本とする。また、個数を検出する実施例では第２弦のフレットスイッチ３０以外でフレットオンとなっているフレットスイッチ３０の個数を検出し、個数データを種類指定部１５に出力する。
【００３０】
種類指定部１５は、１検出部１５１、２検出部１５２、３以上検出部１５３を備えている。１検出部１５１は、本数データあるいは個数データから１本または１個を検出すると、１検出信号Ｄ１を和音テーブル１６に出力する。また、２検出部１５２は、本数データあるいは個数データから２本または２個を検出すると、２検出信号Ｄ２を和音テーブル１６に出力する。３以上検出部１５３は、本数データあるいは個数データから３本以上または３個以上を検出すると、３以上検出信号Ｄ３を和音テーブル１６に出力する。
【００３１】
和音テーブル１６は、１検出信号Ｄ１、または２検出信号Ｄ２、または３以上検出信号Ｄ３に応じた和音種類で、キーコード検出部４からのキーコードを根音とする和音を決定して、前記同様にこの和音データに基づいてギターにおける和音構成音のキーコードを発生する。この第２実施形態では、１検出信号Ｄ１、２検出信号Ｄ２及び３以上検出信号Ｄ３は、それぞれ出力されるときは択一的にしか出力されない。そして、和音テーブル１６は、いずれの信号も出力されていないときはメジャー和音、１検出信号Ｄ１が出力されているときはセブンス和音、２検出信号Ｄ２が出力されているときはマイナー和音、３以上検出信号Ｄ３が出力されているときはマイナーセブンス和音として決定する。
【００３２】
すなわち、第２弦のフレットスイッチ３０以外のフレットオンの弦の本数を検出する実施例では、０本で「メジャー和音」、１本で「セブンス和音」、２本で「マイナー和音」、３本以上で「マイナーセブンス和音」となる。また、第２弦のフレットスイッチ３０以外のフレットオンの個数を検出する実施例では、０個で「メジャー和音」、１個で「セブンス和音」、２個で「マイナー和音」、３個以上で「マイナーセブンス和音」となる。
【００３３】
以上の各実施形態では、モードスイッチ４０ａにより和音演奏モードと通常演奏モードとを切換選択できるので、和音演奏モードすなわち「第１和音指定手段」で上記のような和音指定をして和音音を鳴らし、通常演奏モードすなわち「第２和音指定手段」で通常の押さえ方で和音音を鳴らすことができる。したがって、ギター演奏そのものの和音の押さえ方を簡単な和音指定とともに確認することができ、和音演奏の上達を促進することができる。
【００３４】
前記第１実施形態では、根音指定の第２弦の両側の第１弦と第３弦で和音の種類を指定するようにしているのできわめて操作がし易くなっているが、第２弦より下の弦（第３〜６弦）で種類を指定するようにしてもよい。例えば、第３弦で（そのフレットオン）で「セブンス」、第４弦で「マイナー」、第３弦と第４弦で「マイナーセブンス」の種類を指定してもよい。また、第３弦で「セブンス」、第３弦と第４弦で「マイナー」、第３弦と第４弦と第５弦で「マイナーセブンス」の種類を指定してもよい。
【００３５】
また、実施形態では根音指定に第２弦を使っているので、音楽の導入部であるハ長の「ド」（第１フレット）を基礎として、そこからド、レ、ミ、ファ、…と順に根音を指定できるので、和音を理解し易く覚え易く、操作もしや易くなっているが、根音の指定を別の弦（第６〜３弦、第１弦のいずれか）で行うようにしてもよい。例えば、第１弦で根音を指定するようにしたとすると、第１弦と第２弦オンでセブンス、第１弦と第３弦オンでマイナー、第１、第２、第３弦オンでマイナーセブンスを指定するやり方もこの発明に含まれる。
【００３６】
また、実施形態では、弦トリガ部８により発音トリガを得るようにしているが、この弦トリガ部８を持たないものあるいは使用しないようなものでもよい。すなわち、フレットスイッチをオンすると発音するいわば電子琴のようなものにも適用できる。さらには、例えば鍵盤等の入力操作を発音トリガとしたり、自動演奏のシーケンスデータ（例えばＭＩＤＩデータ）のキーオンを発音トリガとしてもよく、前記同様な各種の和音指定とこれらの発音トリガを組み合わせて楽音を発生するようにしてもよい。
【００３７】
さらにまた、実施形態では、楽音信号発生部１１及びサウンドシステム１２を備えた電子楽器の例について説明したが、これらの楽音発生手段を備えていない和音指定装置（実施例としては図２で楽音信号発生部１１及びサウンドシステム１２を無くした構成など）としてもよい。すなわち楽音を発生するような装置に対する和音指定装置としてもよい。
【００３８】
また、前記各実施形態では、電子楽器や和音指定装置を回路ブロック図で説明したが、フレットスイッチのフレットオンを検出した後、各スイッチの操作状態を判定して和音を決定する処理を、コンピュータとソフトウエアで実行するようにしてもよい。
【００３９】
【発明の効果】
請求項１の電子楽器または請求項２の電子楽器の和音指定装置によれば、特定の１弦に対応する複数のフレットスイッチについては操作されたフレットスイッチに対応した根音を指定し、該特定の１弦以外の他の弦に対応するフレットスイッチで和音の種類を指定するようにしたので、簡単な操作で和音を容易に指定することができる。
【００４０】
請求項３の電子楽器の和音指定装置によれば、特定の１弦に対応する複数のフレットスイッチについては操作されたフレットスイッチに対応した根音を指定し、該特定の１弦の両側に位置する２弦にそれぞれ対応するフレットスイッチのうちいずれか一方でマイナー指定、他方でセブンス指定、両方でマイナーセブンス指定をするようにしたので、根音指定を中心にした３列のフレットスイッチの操作により容易に操作することができるとともに、マイナー、セブンス、マイナーセブンスの区別がし易く覚えやすい。
【００４１】
請求項４の電子楽器の和音指定装置によれば、請求項１の和音指定と同様な第１和音指定手段と、通常演奏に対応する第２和音指定手段のいずれか一方を選択して和音音を指定できるようにしたので、第２和音指定手段によるギター演奏における和音の押さえ方での和音音を、第１和音指定手段による簡単な操作で確認することができ、和音演奏の上達を促進すことができる。
【図面の簡単な説明】
【図１】本発明の実施形態の電子楽器の外観図である。
【図２】本発明の第１実施形態の電子楽器の要部回路ブロック図である。
【図３】通常のギターにおける和音の押え方と本発明の実施形態における和音指定の例を対比して示す図である。
【図４】本発明の実施形態における和音指定を曲の伴奏に合わせて行う場合の例を示す図である。
【図５】本発明の第２実施形態の要部ブロック回路図である。
【符号の説明】
１…入力部、２…第２弦検出部、３…複数弦検出部、４…キーコード検出部、５…和音テーブル、６…第１弦検出部、７…第３弦検出部、８…弦トリガ部、１０…疑似弦、２０…フレット、３０…フレットスイッチ
【図１】
2004117630.tif 000003
【図２】
2004117630.tif 000004
【図３】
2004117630.tif 000005
【図４】
2004117630.tif 000006
【図５】
2004117630.tif 000007